(57)【要約】【課題】電池を電源として液晶表示パネルを駆動する表示駆動装置において、電池が外れてしまった場合であっても、液晶表示パネルの残像を消去させることができるようにする。【解決手段】電池１１とＬＣＤコントローラ１２との間に、電池１１の出力電力をＬＣＤコントローラ１２へ供給する電源ラインＬ１１、電池１１の有無を検出するための検出ラインＬ１２、を設ける。そして、電池１１が接続されている場合には、電池１１の出力電力がコンデンサＣ１に蓄積されるとともに、スイッチＳＷがＯＮとなることで、Ａ点の電位は、電池１１の電位とほぼ等しくなる。一方、電池１１が外れた場合には、スイッチＳＷがＯＦＦとなることで、Ａ点の電位がゼロに降下し、ＬＣＤコントローラ１２は、このＡ点の電位の変化を検出すると、コンデンサＣ１から放出される蓄積電力を用いて、所定の残像消去処理を実行する。【選択図】　　　図１
2004093970.tif 000002
【特許請求の範囲】
【請求項１】
電池を電源として液晶表示パネルを駆動するとともに、当該駆動を停止する際に所定の残像消去処理を実行する表示駆動装置において、
電池の電極と当接する受電端子を有し、前記電池を着脱自在に収納する電池収納部と、
前記受電端子に接続され、前記電池の出力電力を蓄積する電力保持手段と、
前記電池収納部への電池収納の有無を識別する有無識別手段と、
を備え、
前記有無識別手段により電池が収納されていないと識別された場合に、前記電力保持手段に蓄積された電力を用いて、前記残像消去処理を実行することを特徴とする表示駆動装置。
【請求項２】
前記有無識別手段は、一端が接地された所定の抵抗素子の他端と前記受電端子との間の電気的な接続を、前記電池収納部への電池収納の有無によって接続／切断する機構スイッチを有して構成され、
前記抵抗素子の他端の電位に基づき、前記電力保持手段に蓄積された電力を用いて前記残像消去処理の実行を開始することを特徴とする請求項１に記載の表示駆動装置。
【請求項３】
前記有無識別手段は、前記受電端子とは別個に前記電池の電極と当接する第２の受電端子を有して構成され、
前記第２の受電端子の電位に基づき、前記電力保持手段に蓄積された電力を用いて前記残像消去処理の実行を開始することを特徴とする請求項１に記載の表示駆動装置。
【請求項４】
電池を電源として液晶表示パネルを駆動する表示駆動装置において、
電池の電極に当接する受電端子を有し、前記電池を着脱自在に収納する電池収納部と、
前記受電端子に接続され、前記電池の出力電力を蓄積する電力保持手段と、
前記電池収納部への電池収納の有無を識別する有無識別手段と、
前記有無識別手段により電池が収納されていないと識別された場合に、前記電力保持手段に蓄積された電力を用いて、前記液晶表示パネルの画素電極電位を変更する電位変更手段と、
を備えることを特徴とする表示駆動装置。
【請求項５】
前記有無識別手段は、一端が接地された所定の抵抗素子の他端と前記受電端子との間の電気的な接続を、前記電池収納部への電池収納の有無によって接続／切断する機構スイッチであり、
前記電力保持手段は、一端が前記抵抗素子の他端と接続され、他端が前記電位変更手段に接続されたコンデンサであり、
前記電位変更手段は、前記コンデンサの他端の電位によって、前記液晶表示パネルの画素電極電位を所定電位にするか否かを切り替えるスイッチング素子であることを特徴とする請求項４に記載の表示駆動装置。
【請求項６】
電池収納部に着脱自在に収納された電池を電源として液晶表示パネルを駆動するとともに、当該駆動を停止する際には所定の残像消去処理を実行する表示駆動装置における制御方法であって、
前記電池の出力電力を蓄積するステップと、
前記電池収納部への電池収納の有無を識別するステップと、
前記電池収納の有無を識別するステップにおいて電池が収納されていないと識別された場合に、前記出力電力を蓄積するステップにおいて蓄積された電力を用いて前記残像消去処理を実行するステップと、
を含むことを特徴とする制御方法。
【請求項７】
電池収納部に着脱自在に収納された電池を電源として、液晶表示パネルを駆動する表示駆動装置における制御方法であって、
前記電池の出力電圧を蓄積するステップと、
前記電池収納部への電池収納の有無を識別するステップと、
前記電池収納の有無を識別するステップにおいて電池が収納されていないと識別された場合に、前記出力電圧を蓄積するステップにおいて蓄積された電力を用いて、前記液晶表示パネルの画素電極電位を変更するステップと、
を含むことを特徴とする制御方法。
【発明の詳細な説明】
【０００１】
【発明の属する技術分野】
本発明は、表示駆動装置及び表示駆動装置における制御方法に関する。
【０００２】
【従来の技術】
ＴＦＴ等の液晶表示パネルを備えた表示駆動装置において、装置の電源がＯＦＦされると、液晶表示パネルの表示が徐々に消えていくといった、いわゆる残像が発生する。これは、電源がＯＦＦされると、液晶表示パネルを構成する各画素電極の電位が徐々に放電されて、やがて対向電極の電位と等しくなることで表示画面が消えることに起因し、画素電極の電位が対向電極の電位と同電位となるまでは、ある程度の時間（数秒程度）を要するために生じる現象である。
【０００３】
液晶表示パネルに発生する残像は、バックライト型ＬＣＤでは、電源のＯＦＦとともにバックライトが消灯されるため、さほど問題とならないが、反射型ＬＣＤでは、表示が常に見えるため、残像が視認され、見苦しい画面となってしまう。そこで、このような残像の発生による見苦しい画面の表示を防止するため、表示駆動装置の電源がＯＦＦされた場合には、表示画面の残像を速やかに消去するため、残像消去処理が行われる。
この残像消去処理としては、例えば、特開２０００−１６３０２５号公報等に記載されているような技術が知られている。すなわち、同公報には、装置電源の遮断操作時に、走査ドライバをアクティブ状態に維持しつつ、信号ドライバの出力をハイインピーダンス状態に制御し、信号ラインの電位を静電保護抵抗と液晶容量との時定数に応じた十分短い時間（例えば、１ｍｓ程度）で容量配線の電位（コモン信号電圧）と同電位にすることにより、各表示画素における印加電圧をゼロの状態にリセットして、残像を短時間で消すようにした構成が記載されている。
【０００４】
【発明が解決しようとする課題】
しかしながら、上記のような残像消去処理は、通常動作時の電源（例えば、電池により液晶表示パネルを駆動する場合には、この電池からの供給電力）を使用して行われる。即ち、例えば、ユーザにより装置の電源ＯＦＦが指示されると、動作電源を用いて残像消去処理を行い、表示画面の残像を消去させ、その後、電源をＯＦＦとする。
【０００５】
このため、例えば、電池を動作電源としている表示駆動装置の場合、例えば、予期せず電池が外れてしまった場合等には、動作電源の供給が強制的に遮断されてしまうため、残像消去処理を行うことができず、表示画面には残像が表示されてしまう。
【０００６】
本発明は、例えば、電池を動作電源とする表示駆動装置において、電池が外れた場合であっても、確実に残像消去処理を行えるようにすることを目的としている。
【０００７】
【課題を解決するための手段】
上記課題を解決するために、請求項１記載の発明は、
電池を電源として液晶表示パネルを駆動するとともに、当該駆動を停止する際に所定の残像消去処理を実行する表示駆動装置において、
電池の電極と当接する受電端子を有し、前記電池を着脱自在に収納する電池収納部と、
前記受電端子に接続され、前記電池の出力電力を蓄積する電力保持手段と、
前記電池収納部への電池収納の有無を識別する有無識別手段と、
を備え、
前記有無識別手段により電池が収納されていないと識別された場合に、前記電力保持手段に蓄積された電力を用いて、前記残像消去処理を実行することを特徴としている。
【０００８】
また、請求項６に記載の発明は、
電池収納部に着脱自在に収納された電池を電源として液晶表示パネルを駆動するとともに、当該駆動を停止する際には所定の残像消去処理を実行する表示駆動装置における制御方法であって、
前記電池の出力電力を蓄積するステップと、
前記電池収納部への電池収納の有無を識別するステップと、
前記電池収納の有無を識別するステップにおいて電池が収納されていないと識別された場合に、前記出力電力を蓄積するステップにおいて蓄積された電力を用いて前記残像消去処理を実行する実行ステップと、
を含むことを特徴としている。
【０００９】
この請求項１又は６に記載の発明によれば、電池が電池収納部に収納されている場合には、電力保持手段によって、この電池の出力電力が蓄積される。そして、電池有無識別手段により、電池が電池収納部に収納されていないことが識別された場合には、電力保持手段に蓄積されている電力を用いて、残像消去処理を行うことができる。
【００１０】
従って、何らかの理由により、予期せず電池が電池収納部から外れた場合にあっても、電力保持手段に蓄積された電力を用いて、確実且つ速やかに、液晶表示パネルの残像を消去させることができて、残像の発生による見苦しい画面の表示を防止することができる。
【００１１】
また、請求項２に記載の発明のように、
請求項１に記載の表示駆動装置において、
前記有無識別手段は、一端が接地された所定の抵抗素子の他端と前記第１端子との間の電気的な接続を、前記電池収納部への電池収納の有無によって接続／切断する機構スイッチを有して構成され、
前記抵抗素子の他端の電位に基づき、前記電力保持手段に蓄積された電力を用いて前記残像消去処理の実行を開始することとしても良い。
【００１２】
この請求項２に記載の発明によれば、電池収納部に収納される電池の有無によって、機構スイッチが、電池収納部が有する受電端子と抵抗素子との間を、電気的に接続／切断させる。このため、電池収納部に電池が収納されていない場合には、上記受電端子と抵抗素子との間が電気的に切断されるので、当該抵抗素子の他端の電位が降下することになり、この電位の変化を監視することで、電池収納部に電池が収納されていないことを、容易に識別することができる。
【００１３】
また、請求項３に記載の発明のように、
請求項１に記載の表示駆動装置において、
前記有無識別手段は、前記受電端子とは別個に前記電池の電極と当接する第２の受電端子を有して構成され、
前記第２の受電端子の電位に基づき、前記電力保持手段に蓄積された電力を用いて前記残像消去処理の実行を開始することとしても良い。
【００１４】
この請求項３に記載の発明によれば、電池収納部に電池が収納されていない場合には、電池収納部が有する２つの受電端子が開放されるので、当該第２の受電端子の電位が降下することになる。そして、この電位の変化を監視することで、電池収納部に電池が収納されていないことを、容易に識別することができる。
【００１５】
請求項４に記載の発明は、
電池を電源として液晶表示パネルを駆動する表示駆動装置において、
電池の電極に当接する受電端子を有し、前記電池を着脱自在に収納する電池収納部と、
前記受電端子に接続され、前記電池の出力電力を蓄積する電力保持手段と、
前記電池収納部への電池収納の有無を識別する有無識別手段と、
前記有無識別手段により電池が収納されていないと識別された場合に、前記電力保持手段に蓄積された電力を用いて、前記液晶表示パネルの画素電極電位を変更する電位変更手段と、
を備えることを特徴としている。
【００１６】
また、請求項７に記載の発明は、
電池収納部に着脱自在に収納された電池を電源として、液晶表示パネルを駆動する表示駆動装置における制御方法であって、
前記電池の出力電圧を蓄積するステップと、
前記電池収納部への電池収納の有無を識別するステップと、
前記電池収納の有無を識別するステップにおいて電池が収納されていないと識別された場合に、前記出力電圧を蓄積するステップにおいて蓄積された電力を用いて、前記液晶表示パネルの画素電極電位を変更する電位変更ステップと、
を含むことを特徴としている。
【００１７】
この請求項４又は７に記載の発明によれば、電池が電池収納部に収納されている場合には、電力保持手段によって、電池の出力電力が蓄積される。そして、電池収納部に電池が収納されていないことが識別された場合には、電力保持手段に蓄積されている電力を用いて、液晶表示パネルの共通電極電位を変更させることで、液晶表示パネルの全ての画素を同色に、例えば、ノーマリーホワイトであれば「白」に、ノーマリーブラックであれば「黒」とし、液晶表示パネルの残像を消去させることができる。
【００１８】
また、請求項５に記載の発明のように、
請求項４に記載の表示駆動装置において、
前記有無識別手段は、一端が接地された所定の抵抗素子の他端と前記受電端子との間の電気的な接続を、前記電池収納部への電池収納の有無によって接続／切断する機構スイッチであり、
前記電力保持手段は、一端が前記抵抗素子の他端と接続され、他端が前記電位変更手段に接続されたコンデンサであり、
前記電位変更手段は、前記コンデンサの他端の電位によって、前記液晶表示パネルの画素電極電位を所定電位にするか否かを切り替えるスイッチング素子であることとしても良い。
【００１９】
この請求項５に記載の発明によれば、電池収納部に電池が収納されている場合には、機構スイッチによって、受電端子と抵抗素子との間が電気的に接続され、コンデンサの一端に電池の電源電圧が印加されることで、コンデンサが蓄電する。また、電池収納部から電池が外れると（電池収納無し）、機構スイッチによって、受電端子と抵抗素子との間が電気的に切断される。すると、抵抗素子を介してコンデンサの一端がゼロ電位となり、コンデンサの蓄電電圧によってコンデンサの他端の電位が変化し、スイッチング素子が駆動する。このように、有無識別手段、電力保持手段及び電位変更手段を簡易な回路要素で実現できるため、表示駆動装置を容易に構成することができる。
【００２０】
【発明の実施の形態】
以下、本発明に係る表示駆動装置の実施の形態について、図面を参照して詳細に説明する。
【００２１】
〔第１の実施の形態〕
先ず、第１の実施の形態を説明する。
＜構成＞
図１（ａ）は、第１の実施の形態に係る表示駆動装置１の概略構成図である。
【００２２】
表示駆動装置１は、同図（ａ）に示すように、該表示駆動装置１に動作電源を供給する電池１１、ＬＣＤコントローラ１２、ＬＣＤコントローラ１２によって駆動制御されるＬＣＤ（Ｌｉｑｕｉｄ　Ｃｒｙｓｔａｌ　Ｄｉｓｐｌａｙ：液晶表示パネル）１３コンデンサＣ１、スイッチＳＷ、抵抗素子Ｒ１、を主に備えて構成される。
【００２３】
また、電池１１とＬＣＤコントローラ１２との間には、電池１１より出力される電力（出力電力）をＬＣＤコントローラ１２へ供給するための電源ラインＬ１１と、電池１１の有無（詳細には、後述のように、電池１１が電池収納ケースに収納されているか否か）を検出するための検出ラインＬ２１と、が設けられている。
【００２４】
電池１１は、表示駆動装置１が備える電池収納ケース（不図示）に収納され、表示駆動装置１が動作するための電源（動作電源）を、当該表示駆動装置１に供給する。
【００２５】
ここで、電池収納ケースは、電池１１が着脱自在に収納される電池収納部であり、内部には、収納される電池１１の電極と当接する位置に、受電端子が配設されている。また、この受電端子は、電源ラインＬ１１及び検出ラインＬ２１に接続されている。
【００２６】
そして、電池収納ケースに収納された電池１１は、その電極が、電池収納ケース内の上記受電端子と当接することで、電圧ＶＤＤの直流電源（ＤＣ電源）を、電源ラインＬ１１及び検出ラインＬ２１に供給（給電）する。
【００２７】
尚ここで、電池１１は、例えば、アルカリ乾電池やマンガン乾電池等の一次電池、ニッカド電池やニッケル水素電池、リチウムイオン電池、小型シール鉛蓄電池等の二次電池等、何れの形態の電池により実現されるものであっても良い。
【００２８】
コンデンサＣ１は、一端が電源ラインＬ１１に接続されるとともに、他端が接地され、電源ラインＬ１１を通じて供給される電池１１の出力電力を蓄積する電力保持手段として機能する。
【００２９】
具体的には、電池１１が電池収納ケースに収納され、電源ラインＬ１１を通じて電池１１の出力電力が供給されている場合には、コンデンサＣ１は、この出力電力によって充電され、電力を蓄積する。そして、電池１１が電池収納ケースから取り外され、電源ラインＬ１１への給電が停止された場合には、蓄積していた電力（蓄積電力）を放出する。ここで放出された蓄積電力は、電源ラインＬ１１を通じて、ＬＣＤコントローラ１２へ供給される。
【００３０】
スイッチＳＷは、一端が電池１１（詳細には、電池収納ケースが備える受電端子）に、他端が抵抗素子Ｒ１の一端に、それぞれ接続される。そして、電池１１の有無（詳細には、電池１１が電池収納ケースに収納されているか否か）に応じて、ＯＮ／ＯＦＦする。
【００３１】
具体的には、図１（ｂ）に示すように、スイッチＳＷは、表示駆動装置１が備える電池収納ケースに設けられた、導電体で形成された可動部材２１と、この可動部材２１を所定方向に付勢させるバネ（不図示）と、を有して構成される機構スイッチである。
【００３２】
即ち、電池１１が電池収納ケースに収納された際には、同図（ｂ）の左図に示すように、可動部材２１が、電池１１によって電池収納ケース外部へ押し出され、検出ラインＬ２１の開放部２２と接触することで、検出ラインＬ２１を短絡させ、電池収納ケース内の受電端子と抵抗素子Ｒ１の一端とを電気的に接続させる。この状態が、スイッチＳＷの「ＯＮ」に相当する。
【００３３】
また、電池１１が電池収納ケースに収納されていない状態では、同図（ｂ）の右図に示すように、可動部材２１が、バネにより電池収納ケース内部へ付勢されることで、検出ラインＬ２１を開放させ、電池収納ケース内の受電端子と抵抗素子Ｒ１の一端とを、電気的に切断させる。この状態が、スイッチＳＷの「ＯＦＦ」に相当する。
【００３４】
抵抗素子Ｒ１は、一端がスイッチＳＷの他端に接続され、他端が接地されている。そして、抵抗素子Ｒ１と検出ラインＬ２１との接続点であるＡ点の電位は、検出ラインＬ２１への給電の有無に応じて変化する。
【００３５】
即ち、電池１１が電池収納ケースに収納されている場合には、スイッチＳＷがＯＮとなり、検出ラインＬ２１を通じて供給される電池１１の出力電力によって、Ａ点の電位は、電池１１の電位ＶＤＤとほぼ等しくなる。即ち、検出ラインＬ２１からＬＣＤコントローラ１２へ入力される信号（以下、適宜「検出信号」という）は、“Ｈ”となる。
【００３６】
一方、電池１１が電池収納ケースから外れて、収納されていない場合には、スイッチＳＷがＯＦＦとなるため、検出ラインＬ２１への給電が停止され、Ａ点の電位は、ゼロとなる。即ち、検出信号は“Ｌ”となる。
【００３７】
ＬＣＤコントローラ１２は、検出信号に応じて、電源ラインＬ１１を通じて供給される電力を用い、ＬＣＤ１３を適切に駆動させる。
【００３８】
具体的には、検出信号が“Ｈ”の場合には、電池１１が電池収納ケースに収納されている（即ち、「電池有り」）と判断し、電源ラインＬ１１を通じて供給される、電池１１の出力電力を駆動電源としてＬＣＤ１３を駆動し、ＬＣＤ１３に、所定の表示画面を表示させる。
【００３９】
一方、検出ラインＬ２１からの入力信号が“Ｈ”から“Ｌ”と変化した場合には、電池１１が電池収納ケースから取り外された（即ち、「電源無し」）と判断し、電源ラインＬ１１に供給（放電）されるコンデンサＣ１の蓄積電力を用いて所定の残像消去処理を行い、ＬＣＤ１３に表示される残像を消去させた後、表示駆動装置１の動作を停止させる。
【００４０】
＜動作＞
次に、表示駆動装置１の動作を説明する。
（ａ）「電池有り」のとき
電池１１が電池収納ケースに収納されている場合には、電池１１の出力電力が、電源ラインＬ１１及び検出ラインＬ２１の双方に供給（給電）されるとともに、スイッチＳＷがＯＮとなる。
【００４１】
即ち、電源ラインＬ１１においては、電池１１の出力電力が、電源ラインＬ１１を通じてＬＣＤコントローラ１２及びコンデンサＣ１へ供給される。そして、コンデンサＣ１は、この出力電力によって充電され、電力を蓄積する（電力保持ステップ）。また、検出ラインＬ２１においては、スイッチＳＷがＯＮであるため、Ａ点の電位は電池１１の電位ＶＤＤと等しくなり、検出信号が“Ｈ”となる。
【００４２】
従って、ＬＣＤコントローラ１２は、電源ラインＬ１１を通じて供給される電池１１の出力電力を用いてＬＣＤ１３を駆動し、ＬＣＤ１３に、所定の表示画面を表示させる。
【００４３】
（ｂ）「電池無し」のとき
電池収納ケースから電池１１が取り外されると、電池１１による電源ラインＬ１１及び検出ラインＬ２１に対する給電が停止されるとともに、スイッチＳＷがＯＦＦとなる。
【００４４】
すると、電源ラインＬ１１においては、コンデンサＣ１は、蓄積している電力（蓄積電力）を、電源ラインＬ１１を通じて、ＬＣＤコントローラ１２へ供給する。また、検出ラインＬ２１においては、スイッチＳＷがＯＦＦであるため、Ａ点の電位はゼロとなり、検出信号が“Ｈ”から“Ｌ”へと変化する（有無識別ステップ）。
【００４５】
そして、検出信号が“Ｈ”から“Ｌ”へ変化すると、ＬＣＤコントローラ１２は、電源ラインＬ１１を通じてコンデンサＣ１から供給される蓄積電力を用いて所定の残像消去処理を行い、ＬＣＤ１３に表示される残像を消去させる（実行ステップ）。
【００４６】
尚ここで、ＬＣＤコントローラ１２が残像処理に要する時間は、僅か数秒程度であるので、コンデンサＣ１から放電される蓄積電力で、充分対応可能である。
【００４７】
以上のように構成することで、電池１１が電池収納ケースから外れた際には、コンデンサＣ１から蓄積電力が放出されるとともに、スイッチＳＷがＯＦＦとなり、これによって、検出信号が“Ｈ”から“Ｌ”に変化する。そして、ＬＣＤコントローラ１２は、この検出信号の変化を検出すると、上記コンデンサＣ１から放出される蓄積電力を用いて、所定の残像消去処理を実行することができる。
従って、例えば、予期せずに電池１１が外れたといった場合であっても、確実且つ速やかに、ＬＣＤ１３に表示される残像を消去させることができる。
【００４８】
〔第２の実施の形態〕
次に、第２の実施の形態を説明する。尚、以下において、上述した図１と同一要素については同符号を付し、詳細な説明を省略する。
【００４９】
＜構成＞
図２は、第２の実施の形態に係る表示駆動装置２の概略構成図である。
表示駆動装置２は、同図に示すように、電池１１、ＬＣＤコントローラ１２、ＬＣＤ１３、コンデンサＣ１、抵抗素子Ｒ１、を主に備えて構成され、また、電池１１とＬＣＤコントローラ１２との間には、電源ラインＬ１２及び検出ラインＬ２２が設けられている。
【００５０】
電池１１は、表示駆動装置２が備える電池収納ケース（不図示）に収納され、表示駆動装置２が動作するための動作電源を、当該表示駆動装置２に供給する。
【００５１】
ここで、電池収納ケースは、電池１１が着脱自在に収納される電池収納部であり、内部には、受電端子及び第２の受電端子である受電端子１４ａ、１４ｂが配設されている。そして、受電端子１４ａ、１４ｂは、別個独立に、収納される電池１１の電極と当接する。また、この受電端子１４ａは電源ラインＬ１２に、受電端子１４ｂは検出ラインＬ２２に、それぞれ接続されている。
【００５２】
そして、電池収納ケースに収納された電池１１は、その電極が、電池収納ケース内部に設けられた上記受電端子１４ａ、１４ｂのそれぞれと当接することで、電圧ＶＤＤの直流電源を、電源ラインＬ１２及び検出ラインＬ２２に供給する。
【００５３】
抵抗素子Ｒ１は、一端が検出ラインＬ２２に接続され、他端が接地されている。そして、抵抗素子Ｒ１と検出ラインＬ２２との接続点であるＡ点の電位は、検出ラインＬ２２への給電の有無に応じて変化する。
【００５４】
即ち、電池１１が電池収納ケースに収納されている場合には、検出ラインＬ２２を通じて供給される電池１１の出力電力によって、Ａ点の電位は、電池１１の電位ＶＤＤとほぼ等しくなり、検出ラインＬ２２からＬＣＤコントローラ１２への検出信号は“Ｈ”となる。
【００５５】
一方、電池１１が電池収納ケースに収納されていない場合には、受電端子１４ｂが開放されるため、Ａ点の電位はゼロとなり、検出信号は“Ｌ”となる。
【００５６】
＜動作＞
次に、表示駆動装置２の動作を説明する。
（ａ）「電池有り」のとき
電池１１が電池収納ケースに収納されている場合には、電池１１の出力電力が、電源ラインＬ１２及び検出ラインＬ２２の双方に、詳細には、電源ラインＬ１２には受電端子１４ａを介して、検出ラインＬ２２には受電端子１４ｂを介して、それぞれ供給される。
【００５７】
即ち、電源ラインＬ１２においては、電池１１の出力電力が、電源ラインＬ１２を通じてＬＣＤコントローラ１２及びコンデンサＣ１へ供給される。そして、コンデンサＣ１は、この出力電力によって充電され、電力を蓄積する。また、検出ラインＬ２２においては、Ａ点の電位は、電池１１の電位ＶＤＤとほぼ等しくなり、検出信号が“Ｈ”となる。
【００５８】
従って、ＬＣＤコントローラ１２は、電源ラインＬ１２を通じて供給される電池１１の出力電力を用いてＬＣＤ１３を駆動し、ＬＣＤ１３に、所定の表示画面を表示させる。
【００５９】
（ｂ）「電池無し」のとき
電池収納ケースから電池１１が取り外されると、電池１１による電源ラインＬ１２及び検出ラインＬ２２に対する給電が停止されるとともに、受電端子１４ａ、１４ｂが開放される。
【００６０】
すると、コンデンサＣ１が、電源ラインＬ１２に蓄積電力を放出し、この蓄積電力は、電源ラインＬ１２を通じてＬＣＤコントローラ１２へ供給される。また、検出ラインＬ２２においては、Ａ点の電位はゼロとなり、検出信号が“Ｈ”から“Ｌ”へと変化する
【００６１】
そして、ＬＣＤコントローラ１２は、検出ラインＬ２２からの検出信号が“Ｈ”から“Ｌ”へ変化すると、電源ラインＬ１２を通じてコンデンサＣ１から供給される蓄積電力を用いて所定の残像消去処理を行い、ＬＣＤ１３に表示される残像を消去させる。
【００６２】
以上のように構成することで、電池１１が電池収納ケースから外れた際には、受電端子１４ａ、１４ｂが開放され、これによって、コンデンサＣ１から蓄積電力が放出されるとともに、検出信号が“Ｈ”から“Ｌ”へ変化する。そして、ＬＣＤコントローラ１２は、この検出信号の変化を検出すると、コンデンサＣ１から放出される蓄積電力を用い、所定の残像消去処理を実行することができる。
従って、例えば、予期せずに電池が外れたといった場合であっても、確実且つ速やかに、ＬＣＤ１３の残像消去を行うことができる。
【００６３】
〔第３の実施の形態〕
次に第３の実施の形態を説明する。尚、以下において、図１、図２と同一要素については同符号を付し、詳細な説明を省略する。
【００６４】
＜構成＞
図３は、第３の実施の形態に係る表示駆動装置３の概略構成図である。
表示駆動装置３は、同図に示すように、電池１１、ＬＣＤコントローラ１２、ＬＣＤ１３、スイッチＳＷ、コンデンサＣ２、ＦＥＴ１５、を主に備えて構成され、また、電池１１とＬＣＤコントローラ１２の間には電源ラインＬ１３が、電池１１とＦＥＴ１５との間には検出ラインＬ２３が、それぞれ設けられている。
【００６５】
ＬＣＤ１３は、公知のアクティブマトリクス方式のＴＦＴ液晶表示パネルであり、ゲートラインとソースラインとの交点近傍に、ＴＦＴや、ＴＦＴのドレインに接続された画素電極共通電極との間に挟まれた液晶からなる画素容量等が配設されている。そして、ゲートラインに順次パルス電圧（走査信号）が印加されると、これに接続されたＴＦＴのソース・ドレイン間にチャネルが形成される。同時に、ソースラインから信号電圧が印加されると、ＴＦＴのソース・ドレイン間に電流が流れ、画素容量に電荷が蓄積される。１ラインの走査が終了し、ＴＦＴのゲートにかかる電圧が中断されると、ＴＦＴがＯＦＦ状態となり、ソース・ドレイン間の電流の流れが止まり、画素容量に電荷が保持される。画素電極と共通電極との間に挟まれた液晶は、画素容量に充電された電荷により電圧が印加され、配列が変化する。そして、各液晶の配列の変化によって、ＬＣＤ１３には任意の画像が表示されることとなる。
【００６６】
スイッチＳＷは、一端が電池１１（詳細には、電池収納ケースが備える受電端子）に、他端が抵抗素子Ｒ２を介して接地されるとともに、コンデンサＣ２の一端に、それぞれ接続される。また、スイッチＳＷは、図１（ｂ）に示したように、電池１１の有無（詳細には、電池１１が電池収納ケースに収納されているか否か）に応じてＯＮ／ＯＦＦし、検出ラインＬ２３を短絡／開放させる機構スイッチである。
【００６７】
コンデンサＣ２は、一端がスイッチＳＷの他端に、他端がＦＥＴ１５のゲートＧに、それぞれ接続され、検出ラインＬ２３を通じて供給される電池１１の出力電力を蓄積する電力保持手段として機能する。また、その両端（Ｂ１点及びＢ２点）の電位は、検出ラインＬ２３への給電の有無に応じて変化する。
【００６８】
具体的には、電池１１が電池収納ケースに収納され、検出ラインＬ２３に電池１１の出力電力が供給されている場合には、コンデンサＣ２は、この出力電力によって充電され、電力を蓄積する。この時、Ｂ１点の電位は電池１１の電位ＶＤＤと等しくなり、Ｂ２点の電位は、抵抗素子Ｒ３を介して接地されているため、ゼロとなる。
【００６９】
一方、電池１１が電池収納ケースから取り外された場合には、スイッチＳＷがＯＦＦとなり、電池１１からの給電が停止される。これにより、Ｂ１点の電位は抵抗素子Ｒ２を介して接地されて、その電位はＶＤＤからゼロになる。このとき、コンデンサＣ２に蓄積されている電荷は保持されるため、Ｂ２点の電位はＢ１点の電位の低下分と同じだけ低下して、ゼロから−ＶＤＤに降下する。
【００７０】
ＦＥＴ１５は、ｐチャネルのＭＯＳ−ＦＥＴ（電界効果トランジスタ）であり、ゲートＧがコンデンサＣ２の他端に、ドレインＤが抵抗素子Ｒ４を介して端子ＶＧＬに、それぞれ接続されるとともに、ソースＳが接地されている。
【００７１】
ＦＥＴ１５は、電池１１が電池収納ケースに収納されている場合には、上述のように、Ｂ２点の電位がゼロであるため、ゲートＧにゼロ電圧が印加され、これによって、ＯＦＦとなる。即ち、ソースＳとドレインＤとの間は非導通であり、ドレインＤに接続された端子ＶＧＬは、任意の電位となる。
【００７２】
また、電池１１が電池収納ケースから取り外された場合には、上述のように、Ｂ２点の電位がゼロから−ＶＤＤに降下し、ゲートＧには負電圧が印加される。これによって、ＦＥＴ１５はＯＮとなり、ソースＳとドレインＤとの間が導通し、端子ＶＧＬが抵抗素子Ｒ４を介して接地され、その電位がゼロとなる。
【００７３】
このように、ＦＥＴ１５は、電池１１の有無に応じてＯＮ／ＯＦＦすることで、端子ＶＧＬの電位を変化させる電位変更手段として機能する。
【００７４】
ところで、ＬＣＤ１３を構成する各液晶に接続されたＴＦＴは、そのゲートに通常マイナス数Ｖ程度の負電圧が印加されたＯＦＦ状態となっており、走査信号が印加された場合にのみＯＮ状態となる。また、端子ＶＧＬは、ＬＣＤ１３のゲートライン、即ち、各ＴＦＴのゲートに接続されている。従って、ＦＥＴ１５がＯＦＦの場合には、端子ＶＧＬは任意の電位となり、通常のマイナス数Ｖ程度の負電圧が印加されて、通常の表示動作が行われるが、ＦＥＴ１５がＯＮの場合には、端子ＶＧＬの電位はゼロとなる。これによって、ＬＣＤ１３の全てのＴＦＴのゲートにゼロ電位が印加され、全画素がＯＮ状態となる。ＯＮ状態が保持されると、画素容量の増加によって共通電極電圧ＶＣＯＭの振幅が小さくなり、ソースラインに印加される信号電圧の電位に関わらず、ＬＣＤ１３は全面「白」となる（ノーマリーホワイトの場合）。尚、ノーマリーブラックの場合には、全面が「黒」となる。
【００７５】
＜動作＞
次に、表示駆動装置３の動作を説明する。
（ａ）「電池有り」のとき
電池１１が電池収納ケースに収納されている場合には、電池１１の出力電力が、電源ラインＬ１３及び検出ラインＬ２３の双方に供給（給電）されるとともに、スイッチＳＷがＯＮとなる。
【００７６】
即ち、電源ラインＬ１３においては、電池１１の出力電力が、電源ラインＬ１３を通じてＬＣＤコントローラ１２へ供給され、そして、ＬＣＤコントローラ１２は、この出力電力を駆動電源としてＬＣＤ１３を駆動し、ＬＣＤ１３に、所定の表示画面を表示させる。
【００７７】
また、検出ラインＬ２３においては、スイッチＳＷがＯＮであるため、電池１１の出力電力がコンデンサＣ２に供給され、コンデンサＣ２は、この出力電力によって充電され、電力を蓄積する（電力保持ステップ）。この時、Ｂ１点の電位は電池１１の電位ＶＤＤと等しくなり、Ｂ２点の電位はゼロとなる。
【００７８】
そして、Ｂ点の電位がゼロであるため、ＦＥＴ１５のゲートＧには、ゼロ電圧が印加され、これにより、ＦＥＴ１５はＯＦＦ（非導通）なる。従って、端子ＶＧＬは任意の電位となり、ＬＣＤ１３には、ＬＣＤコントローラ１２の制御により、所定の表示画面が表示される。
【００７９】
（ｂ）「電池無し」のとき
電池収納ケースから電池１１が取り外されると、電池１１による電源ラインＬ１３及び検出ラインＬ２３に対する給電が停止されるとともに、スイッチＳＷがＯＦＦとなる。即ち、ＬＣＤコントローラ１２は、電源の供給が停止されるため、ＬＣＤ１３の駆動を行えず、その動作を停止する。
【００８０】
一方、検出ラインＬ２３においては、スイッチＳＷがＯＦＦであるため、コンデンサＣ２が蓄積電力を放出し、Ｂ１点の電位はＶＤＤからゼロに、Ｂ点２の電位はゼロから−ＶＤＤに、それぞれ降下する（有無識別ステップ）。
【００８１】
そして、ＦＥＴ１５のゲートＧには、Ｂ２点の電位、即ち、負電圧が印加され、ＦＥＴ１５は、ＯＦＦからＯＮとなる。即ち、ＦＥＴ１５のソースＳとドレインＤとの間が導通し、端子ＶＧＬが抵抗素子Ｒ４を介して接地され、その電位はゼロとなる（電位変更ステップ）。
【００８２】
即ち、ＬＣＤ１３の全てのＴＦＴのゲートにゼロ電位が印加され、ＬＣＤ１３は、全面が「白（ノーマリーホワイトの場合）」、若しくは「黒（ノーマリーブラックの場合）」の表示になる。
従って、例えば、予期せずに電池１１が外れたといった場合であっても、確実且つ速やかに、ＬＣＤ１３の残像を消去させることができる。
【００８３】
また、第３の実施の形態に係る表示駆動装置３は、上記第１又は第２の実施の形態に係る表示駆動装置と異なり、電池１１の有無を検出する信号を、直接ＬＣＤ１３に作用させている。
【００８４】
即ち、電池１１の有無を、Ｂ２点の電位の変化によって検出しているが、この電位の変化によってＦＥＴ１５をＯＮ／ＯＦＦさせ、これによって、ＬＣＤ１３の全てのＴＦＴのゲートに接続された端子ＶＧＬの電位を変化させることが、残像消去処理に当たる。このため、第１及び第２の実施の形態と比べて、ＬＣＤコントローラ１２に電池収納の有無を識別する機能を付加する必要がない。そのため、表示駆動装置を、より簡易な回路構成で実現することができる。
【００８５】
【発明の効果】
本発明によれば、電池が電池収納部に収納されている場合には、電力保持手段によって、この電池の出力電力が蓄積される。そして、電池有無識別手段により、電池が電池収納部に収納されていないことが識別された場合には、電力保持手段に蓄積されている電力を用いて、残像消去処理を行うことができる。従って、何らかの理由により、予期せずに電池が電池収納部から外れた場合にあっても、電力保持手段に蓄積された電力を用いて、確実且つ速やかに、液晶表示パネルの残像を消去させることができる。
【図面の簡単な説明】
【図１】第１の実施の形態に係る表示駆動装置の概略構成図である。
【図２】第２の実施の形態に係る表示駆動装置の概略構成図である。
【図３】第３の実施の形態に係る表示駆動装置の概略構成図である。
【符号の説明】
１、２、３　表示駆動装置
１１　電池
１２　ＬＣＤコントローラ
１３　ＬＣＤ
Ｃ１、Ｃ２　コンデンサ
ＳＷ　スイッチ
Ｒ１、Ｒ２、Ｒ３、Ｒ４　抵抗素子
１４ａ、１４ｂ　受電端子
１５　ＦＥＴ
Ｌ１１、Ｌ１２、Ｌ１３　電源ライン
Ｌ２１、Ｌ２２、Ｌ２３　検出ライン
【図１】
2004093970.tif 000003
【図２】
2004093970.tif 000004
【図３】
2004093970.tif 000005